(57)【要約】      （修正有）【課題】パレットローダ案内用のガイドレールを低コストで容易に後付することができるパレットローダ用レールユニットを提供する。【解決手段】パレットを移動するためのローダを案内するガイドレール１１が設けられた矩形形状の複数のパネル１０ａ，１０ｂと、パネルの各々の少なくとも１つの端縁の近傍に配置され、この端縁に平行な回動軸により回動可能に軸支された係止部材を有する第１の連結金具２０ａと、複数のパネルの各々の第１の連結金具が配置された端縁に平行な他の端縁の近傍に配置され、係止受け部を有する第２の連結金具２０ｂとを備えている。複数のパネルを床面上に敷設した状態において、１つのパネルに配置された第１の連結金具の係止部材が、他のパネルに配置された第２の連結金具の係止受け部に係合することにより、第１の連結金具と第２の連結金具とが連結され、１つのパネルと他のパネルとが連結固定されるように構成されている。【選択図】図１
2018058528.tif 000002
【特許請求の範囲】
【請求項１】
床面上に敷設可能に構成され、パレットを移動するためのローダを案内するガイドレールが設けられた矩形形状の複数のパネルと、前記複数のパネルの各々の少なくとも１つの端縁の近傍に配置され、該端縁に平行な回動軸により回動可能に軸支された係止部材を有する第１の連結金具と、前記複数のパネルの各々の前記第１の連結金具が配置された端縁に平行な他の端縁の近傍に配置され、係止受け部を有する第２の連結金具とを備えており、
前記複数のパネルを床面上に敷設した状態において、１つの前記パネルに配置された前記第１の連結金具の前記係止部材が、他の前記パネルに配置された前記第２の連結金具の前記係止受け部に係合することにより、前記第１の連結金具と前記第２の連結金具とが連結され、前記１つのパネルと前記他のパネルとが連結固定されるように構成されていることを特徴とするパレットローダ用レールユニット。
【請求項２】
前記パネルの前記ガイドレールに垂直な２つの端縁のうちの一方の近傍に前記第１の連結金具が配置され、前記２つの端縁のうちの他方の近傍に前記第２の連結金具が配置された第１のレールユニットと、前記パネルの前記ガイドレールに垂直な２つの端縁のうちの一方の近傍に前記第１の連結金具が配置され、前記２つの端縁のうちの他方の近傍に前記第２の連結金具が配置された第２のレールユニットとを備え、
前記第１のレールユニットと前記第２のレールユニットとは、前記第１のレールユニットにおける前記ガイドレールに垂直な端縁の前記第１の連結金具と前記第２のレールユニットにおける前記ガイドレールに垂直な端縁の前記第２の連結金具とを連結することにより互いに連結固定されるように構成されていることを特徴とする請求項１に記載のパレットローダ用レールユニット。
【請求項３】
前記第１のレールユニットは前記パネルの前記ガイドレールと平行な２つの端縁のうちの一方の近傍のみに前記第１の連結金具が配置されており、前記第２のレールユニットは前記パネルの前記ガイドレールと平行な２つの端縁のうちの他方の近傍のみに前記第２の連結金具が配置されており、
前記第１のレールユニットと前記第２のレールユニットとは、前記第１のレールユニットにおける前記ガイドレールと平行な端縁の前記第１の連結金具と前記第２のレールユニットにおける前記ガイドレールと平行な端縁の前記第２の連結金具とを連結することにより互いに連結固定されるように構成されていることを特徴とする請求項２に記載のパレットローダ用レールユニット。
【請求項４】
前記第１のレールユニットは前記パネルの前記ガイドレールと平行な２つの端縁のうちの一方の近傍に前記第１の連結金具が配置され、前記２つの端縁のうちの他方の近傍に前記第２の連結金具が配置されており、前記第２のレールユニットは前記パネルの前記ガイドレールと平行な２つの端縁のうちの一方の近傍に前記第１の連結金具が配置され、前記２つの端縁のうちの他方の近傍に前記第２の連結金具が配置されており、
前記第１のレールユニットと前記第２のレールユニットとは、前記第１のレールユニットにおける前記ガイドレールと平行な端縁の前記第１の連結金具と前記第２のレールユニットにおける前記ガイドレールと平行な端縁の前記第２の連結金具とを連結することにより互いに連結固定されるように構成されていることを特徴とする請求項２に記載のパレットローダ用レールユニット。
【請求項５】
前記係止部材は、一端が前記回動軸により回動可能に軸支され、他端が前記回動軸と平行な円柱状体を有するＴ字形状に形成され、前記係止受け部は、前記係止部材の円柱状体と嵌合可能な凹部を備えていることを特徴とする請求項１から４のいずれか１項に記載のパレットローダ用レールユニット。
【発明の詳細な説明】
【技術分野】
【０００１】
本発明は、トラックの荷台の床面上又はコンテナ若しくは倉庫等の床面上に、パレットローダ案内用のガイドレールを構築可能なパレットローダ用レールユニットに関する。
【背景技術】
【０００２】
貨物専用車両の荷台床や倉庫等の床面に架装された互いに平行な対となるガイドレールにローダ（ジョルダ）を差し入れ、ローダの荷受部（積載部）の昇降動作を通じて荷台床上の荷物を所定位置まで移動して格納する積み込みする、又は格納位置から荷物を移動し外部に運び出す積み出しするように構成したパレットローダシステムは公知である（例えば、特許文献１参照）。
【０００３】
特許文献２には、特許文献１に記載されたローダ用ガイドレールを備えたトラックの床構造が公知である。
【０００４】
この特許文献２に記載されたトラックの床構造は、トラックのシャーシフレーム上に設ける荷室の床面の構造であり、車両の前後方向に間隔をあけて配置される複数の横根太と、横根太上にスペーサーを介して敷設される床板と、前後方向に延びる断面逆ハット型のガイドレールとを備えている。ガイドレールはローダの前後方向への移動を案内するために床面に一体化して固定されている部材であり、断面逆ハット型（逆Π字型）に形成され、床面の幅方向に２条又は４条に設置されている。
【先行技術文献】
【特許文献】
【０００５】
【特許文献１】欧州特許出願公開第２５８１２６３号明細書
【特許文献２】特開２０１５−２０２８１４号公報
【発明の概要】
【発明が解決しようとする課題】
【０００６】
しかしながら、特許文献２に記載されているごとき従来のトラックの床構造は、トラックのシャーシフレーム上にガイドレール等を製造時から架装するものであるため、後付する場合には設置コストが大幅に高くなるという問題点があった。
【０００７】
また、特許文献２に記載されているごとき従来のトラックの床構造は、ガイドレールが傷んだり摩耗した場合、修復するために部分的に簡単に交換することができないという問題点があった。
【０００８】
さらに、特許文献２に記載されているごとき従来のトラックの床構造は、製造時から車両に架装されるため、架装部の重量も車両重量として加算され、車両の最大積載量が少なくなるという問題点があった。
【０００９】
本発明はこのような従来技術の問題点を解決するためになされたものであり、その目的は、トラックの荷台、コンテナの床面、及び倉庫等の床面にパレットローダ案内用のガイドレールを低コストで容易に後付することができるパレットローダ用レールユニットを提供することにある。
【００１０】
本発明の他の目的は、パレットローダ案内用のガイドレールを部分的にかつ簡単に交換することができるパレットローダ用レールユニットを提供することにある。
【００１１】
本発明のさらに他の目的は、パレットローダ案内用のガイドレールを簡単に延長及び／又は増設することができるパレットローダ用レールユニットを提供することにある。
【００１２】
本発明のまたさらに他の目的は、車両の最大積載量を低減させることなくパレットローダ案内用のガイドレールを設置することのできるパレットローダ用レールユニットを提供することにある。
【課題を解決するための手段】
【００１３】
本発明によれば、パレットローダ用レールユニットは、床面上に敷設可能に構成され、パレットを移動するためのローダを案内するガイドレールが設けられた矩形形状の複数のパネルと、複数のパネルの各々の少なくとも１つの端縁の近傍に配置され、この端縁に平行な回動軸により回動可能に軸支された係止部材を有する第１の連結金具と、複数のパネルの各々の第１の連結金具が配置された端縁に平行な他の端縁の近傍に配置され、係止受け部を有する第２の連結金具とを備えている。複数のパネルを床面上に敷設した状態において、１つのパネルに配置された第１の連結金具の係止部材が、他のパネルに配置された第２の連結金具の係止受け部に係合することにより、第１の連結金具と第２の連結金具とが連結され、上述した１つのパネルと他のパネルとが連結固定されるように構成されている。
【００１４】
複数のパネルを床面上に敷設し、１つのパネルに配置された第１の連結金具の係止部材を他のパネルに配置された第２の連結金具の係止受け部に係合することにより、第１の連結金具と第２の連結金具とが連結される。このように連結金具を連結することにより複数のパネルを連結固定すれば、トラックの荷台、コンテナの床面、及び倉庫等の床面にパレットローダ案内用のガイドレールを低コストで容易に後付することができる。また、パレットローダ案内用のガイドレールを部分的にかつ簡単に交換すること、及び簡単に延長及び／又は増設することができる。さらに、製造時から車両に架装されないため、車両の最大積載量を低減させることなくパレットローダ案内用のガイドレールを設置することができる。
【００１５】
パネルのガイドレールに垂直な２つの端縁のうちの一方の近傍に第１の連結金具が配置され、２つの端縁のうちの他方の近傍に第２の連結金具が配置された第１のレールユニットと、パネルのガイドレールに垂直な２つの端縁のうちの一方の近傍に第１の連結金具が配置され、２つの端縁のうちの他方の近傍に第２の連結金具が配置された第２のレールユニットとを備え、第１のレールユニットと第２のレールユニットとは、第１のレールユニットにおけるガイドレールに垂直な端縁の第１の連結金具と第２のレールユニットにおけるガイドレールに垂直な端縁の第２の連結金具とを連結することにより互いに連結固定されるように構成されていることが好ましい。これにより、トラックの荷台、コンテナの床面、及び倉庫等の床面において、パレットローダ案内用のガイドレールを長さ方向に簡単に延長することができる。しかも、ガイドレールに垂直な２つの端縁にそれぞれ第１の連結金具及び第２の連結金具を設けているため、１種類のレールユニットのみを使用して、ガイドレールを長さ方向に任意の長さ（パネル数）に延長することができる。
【００１６】
この場合、第１のレールユニットはパネルのガイドレールと平行な２つの端縁のうちの一方の近傍のみに第１の連結金具が配置されており、第２のレールユニットはパネルのガイドレールと平行な２つの端縁のうちの他方の近傍のみに第２の連結金具が配置されており、第１のレールユニットと第２のレールユニットとは、第１のレールユニットにおけるガイドレールと平行な端縁の第１の連結金具と第２のレールユニットにおけるガイドレールと平行な端縁の第２の連結金具とを連結することにより互いに連結固定されるように構成されていることも好ましい。これにより、トラックの荷台、コンテナの床面、及び倉庫等の床面において、パレットローダ案内用のガイドレールを横方向に簡単に増設することができる。この場合、ガイドレールと平行な２つの端縁の一方にのみ第１の連結金具又は第２の連結金具を設けているため、２種類のレールユニットを使用してガイドレールを横方向に１つだけ増設することができる。
【００１７】
第１のレールユニットはパネルのガイドレールと平行な２つの端縁のうちの一方の近傍に第１の連結金具が配置され、２つの端縁のうちの他方の近傍に第２の連結金具が配置されており、第２のレールユニットはパネルのガイドレールと平行な２つの端縁のうちの一方の近傍に第１の連結金具が配置され、２つの端縁のうちの他方の近傍に第２の連結金具が配置されており、第１のレールユニットと第２のレールユニットとは、第１のレールユニットにおけるガイドレールと平行な端縁の第１の連結金具と第２のレールユニットにおけるガイドレールと平行な端縁の第２の連結金具とを連結することにより互いに連結固定されるように構成されていることも好ましい。しかも、ガイドレールと平行な２つの端縁にそれぞれ第１の連結金具及び第２の連結金具を設けているため、１種類のレールユニットのみを使用して、ガイドレールを横方向に増設することができる。即ち、この場合、１種類のレールユニットのみを使用して、ガイドレールを縦方向に任意の長さ（パネル数）に延長し、かつ横方向に任意の数に増設することができる。
【００１８】
係止部材は、一端が回動軸により回動可能に軸支され、他端が回動軸と平行な円柱状体を有するＴ字形状に形成され、係止受け部は、係止部材の円柱状体と嵌合可能な凹部を備えていることが好ましい。
【発明の効果】
【００１９】
本発明によれば、トラックの荷台、コンテナの床面、及び倉庫等の床面にパレットローダ案内用のガイドレールを低コストで容易に後付することができる。また、パレットローダ案内用のガイドレールを部分的にかつ簡単に交換すること、及び簡単に延長及び／又は増設することができる。さらに、製造時から車両に架装されないため、車両の最大積載量を低減させることなくパレットローダ案内用のガイドレールを設置することができる。
【００２０】
ガイドレールに垂直な２つの端縁にそれぞれ、第１の連結金具及び第２の連結金具を設ければ、１種類のレールユニットのみを使用して、ガイドレールを長さ方向に任意の長さ（パネル数）に延長することができる。また、ガイドレールと平行な２つの端縁にそれぞれ、第１の連結金具及び第２の連結金具を設ければ、１種類のレールユニットのみを使用して、ガイドレールを横方向に任意の数に増設することができる。
【図面の簡単な説明】
【００２１】
【図１】本発明の第１の実施形態のパレットローダ用レールユニットの構成を概略的に示す平面図である。
【図２】図１のパレットローダ用レールユニットのパネルの構成を示す平面図及び局部断面図である。
【図３】図１のパレットローダ用レールユニットの連結金具の構成を示す斜視図である。
【図４】図１のパレットローダ用レールユニットの連結金具の構成を示す側面図及び平面図である。
【図５】図１のパレットローダ用レールユニットの連結金具の連結状態を概略的に示す斜視図である。
【図６】図１のパレットローダ用レールユニットの使用状態の一例を概略的に示す平面図である。
【図７】本発明の第２の実施形態のパレットローダ用レールユニットの構成を概略的に示す平面図である。
【図８】図７のパレットローダ用レールユニットの使用状態の一例を概略的に示す平面図である。
【図９】本発明の第３の実施形態のパレットローダ用レールユニットの構成を概略的に示す平面図である。
【図１０】本発明の第４の実施形態のパレットローダ用レールユニットの構成を概略的に示す平面図である。
【発明を実施するための形態】
【００２２】
以下、本発明に係るパレットローダ用レールユニットの実施形態を、図を参照して説明する。
【００２３】
図１は本発明の第１の実施形態のパレットローダ用レールユニット１００の構成を概略的に示しており、図２はこのパレットローダ用レールユニット１００のパネル１０ａ及び１０ｂのみの構成を示している。図２において、（ａ）はパネル１０ａ及び１０ｂを上方から見た図であり、（ｂ）は（ａ）のＡ−Ａ線断面図である。図３〜図５はこのパレットローダ用レールユニット１００の第１の連結金具２０ａ及び第２の連結金具２０ｂの構成を示している。図３において、（ａ）は第１の連結金具２０ａ及び第２の連結金具２０ｂの外観構成を示しており、（ｂ）は第１の連結金具２０ａの係止部材２２及び回動軸２３の外観構成を示している。図４は第１の連結金具２０ａ及び第２の連結金具２０ｂの取り付け状態を示している。図４において（ａ）は第１の連結金具２０ａ及び第２の連結金具２０ｂを側方から見た図であり、（ｂ）は第１の連結金具２０ａ及び第２の連結金具２０ｂの上方から見た図である。図５は第１の連結金具２０ａと第２の連結金具２０ｂとを連結固定した状態を示している。図６はこのパレットローダ用レールユニット１００の使用状態の一例を示している。
【００２４】
これらの図１〜図６に示すように、本実施形態のパレットローダ用レールユニット１００は、図１、図２及び図６にて上下方向に平行に走る２本のガイドレール１１を備えた第１のレールユニット１００ａと、同じく図にて上下方向に平行に走る２本のガイドレール１１を備えた第２のレールユニット１００ｂとを備えている。
【００２５】
第１のレールユニット１００ａは、パネル１０ａのガイドレール１１に垂直な２つの端縁（辺）のうちの一方（図にて上側）の近傍であってその端縁の中央に第１の連結金具２０ａが取り付けられ、これら２つの端縁（辺）のうちの他方（図にて下側）の近傍であってその端縁の中央に第２の連結金具２０ｂが取り付けられ、ガイドレール１１と平行な２つ端縁（辺）のうちの一方（図にて右側）の近傍であってその端縁の中央に第１の連結金具２０ａが取り付けられている。
【００２６】
第２のレールユニット１００ｂは、パネル１０ｂのガイドレール１１に垂直な２つの端縁（辺）のうちの一方（図にて下側）の近傍であってその端縁の中央に第１の連結金具２０ａが取り付けられ、これら２つの端縁（辺）のうちの他方（図にて上側）の近傍であってその端縁の中央に第２の連結金具２０ｂが取り付けられ、ガイドレール１１と平行な２つ端縁（辺）のうちの他方（図にて左側）の近傍であってその端縁の中央に第２の連結金具２０ｂが取り付けられている。
【００２７】
第１のレールユニット１００ａと第２のレールユニット１００ｂとは、第１のレールユニット１００ａのガイドレール１１と平行な端縁近傍に取り付けられた第１の連結金具２０ａと第２のレールユニット１００ｂのガイドレール１１と平行な端縁近傍に取り付けられた第２の連結金具２０ｂとが互いに連結可能に構成されていると共に、ガイドレール１１に垂直な端縁近傍に取り付けられた第１の連結金具２０ａと第２のレールユニット１００ｂのガイドレール１１と垂直な端縁近傍に取り付けられた第２の連結金具２０ｂとが互いに連結可能に構成されている。これにより、第１のレールユニット１００ａと第２のレールユニット１００ｂとは、縦方向（ガイドレール１１と平行な方向）に連結固定可能であり、横方向（ガイドレール１１と垂直な方向）に連結固定可能である。
【００２８】
パネル１０ａ及び１０ｂの各々は、図２に示すように、パネル端縁に沿って互いに平行に伸長する２本のガイドレール１１と、２つ又は１つの第１の連結金具２０ａ及び１つ又は２つの第２の連結金具２０ｂを取り付けるための３つの装着凹部１２とを有している。図２（ａ）に示すパネル１０ａを１８０度回転させればパネル１０ｂとなることから分かるように、パネル１０ａとパネル１０ｂとは同一構成のパネルである。パネル１０ａ及び１０ｂの各々は、空間を介して互いに平行に配置された上面板１３及び下面板１４を有しており、これら上面板１３及び下面板１４はガイドレール１１の位置において、断面コ字形状の支持部材１５によって支持されている。上面板１３及び下面板１４は、例えばアルミ製板材から形成されている。上面板１３には、各装着凹部１２の位置において第１の連結金具２０ａ又は第２の連結金具２０ｂを取り付けるための切り欠きが設けられており、下面板１４には、第１の連結金具２０ａ又は第２の連結金具２０ｂを固定するためのネジ用貫通孔が設けられている（図４参照）。
【００２９】
パネル１０ａ及び１０ｂの各々の上面板１３には、２本のスリットが形成されており、この部分に凹溝状の２本のガイドレール１１が嵌設されている。各ガイドレール１１は、支持板１５によって上面板１３及び下面板１４に固定されている。ガイドレール１１は、凹溝の側壁の上端において外側へ向けて折り曲げたフランジ部を有している。ガイドレール１１のフランジ部と支持部材１５との間には、緩衝材１６が配置されている。ガイドレール１１及び支持部材１５は、例えば金属（例えば鉄）製板材を板金加工して形成されている。なお、本発明のガイドレール１１及び支持部材１５の構成は上述した構成に限定されるものではない。
【００３０】
図３〜図５に示すように、第１の連結金具２０ａは、本体２１ａと、アーム部材２２ａ及び円柱状部材２２ｂを有する係止部材２２と、本体２１ａの嵌合孔に固着されており、係止部材２２のアーム部材２２ａの一端を回動可能に軸支する回動軸２３と、本体２１ａに形成されており、係止部材２２のアーム部材２２ａの他端に固着されている円柱状部材２２ｂを非連結状態時に収容する収容部２４ａとを有している。係止部材２２のアーム部材２２ａと円柱状部材２２ｂとは、Ｔ字形状となるように構成されている。収容部２４ａは、円柱状部材２２ｂが嵌入可能なようにその外面形状に対応する形状の内面を有する凹溝形状に形成されている。回動軸２３は、第１の連結金具２０ａがパネル１０ａ又は１０ｂに取り付けられた際に、パネル１０ａ又は１０ｂの端縁と平行となるように構成されている。この第１の連結金具２０ａは、その本体２１ａがパネル１０ａ又は１０ｂの装着凹部１２内に嵌め込まれた状態でネジ止めにより下面板１４に固定される（図４参照）。
【００３１】
第２の連結金具２０ｂは、本体２１ｂと、係止部材２２の円柱状体２２ｂを係止するための係止受け部２４ｂとを有している。この係止受け部２４ｂは、係止部材２２の円柱状部材２２ｂが嵌入可能なようにその外面形状に対応する形状の内面を有する凹溝形状に形成されている。図５に示すように、係止部材２２の円柱状部材２２ｂが係止受け部２４ｂに嵌入することで、第１の連結金具２０ａと第２の連結金具２０ｂとが連結された状態となる。この第２の連結金具２０ｂは、その本体２２ａがパネル１０ａ又は１０ｂの装着凹部１２内に嵌め込まれた状態でネジ止めにより下面板１４に固定される（図４参照）。
【００３２】
次に、以上述べた第１のレールユニット１００ａ及び第２のレールユニット１００ｂを床面上に敷設してパレットローダ案内用のガイドレールを構築する方法について説明する。ここでは、複数の第１のレールユニット１００ａ及び複数の第２のレールユニット１００ｂを敷設し、４本のガイドレール１１を設置する場合について説明する。
【００３３】
図６に示すように、まず、図にて左上の第２のレールユニット１００ｂの横方向（図にて右方向）位置に第１のレールユニット１００ａを敷設し、第１の連結金具２０ａと第２の連結金具２０ｂを互いに連結する。一方、図にて左上の第２のレールユニット１００ｂの縦方向（図にて下方向）位置に第１のレールユニット１００ａを敷設し、第１の連結金具２０ａと第２の連結金具２０ｂを互いに連結する。さらに、この図にて左下の第１のレールユニット１００ａの横方向（図にて右方向）でありかつ先の図にて右上の第１のレールユニット１００ａの縦方向（図にて下方向）位置に第２のレールユニット１００ｂを敷設し、これらレールユニットの間で第１の連結金具２０ａと第２の連結金具２０ｂを互いに連結する。これにより、第１のレールユニット１００ａと第２のレールユニット１００ｂとを２段２列に配置しガイドレール１１（４本）を延長して設置することができる。図にて左下の第１のレールユニット１００ａの縦方向（図にて下方向）位置に第２のレールユニット１００ｂを敷設し、図にて右下の第２のレールユニット１００ｂの縦方向（図にて下方向）位置に第１のレールユニット１００ａを敷設し、これらレールユニットの間で第１の連結金具２０ａと第２の連結金具２０ｂを互いに連結すれば、レールユニットを３段２列に配置でき、４本のガイドレール１１をさらに延長して設置することができる。
【００３４】
以上説明したように、本実施形態におけるパレットローダ用レールユニット１００は、第１のレールユニット１００ａと、第２のレールユニット１００ｂとを備えている。第１のレールユニット１００ａは、パネル１０ａのガイドレール１１に垂直な２つの端縁のうちの一方の近傍であってその端縁の中央に第１の連結金具２０ａが取り付けられ、これら２つの端縁のうちの他方の近傍であってその端縁の中央に第２の連結金具２０ｂが取り付けられ、ガイドレール１１と平行な２つの端縁のうちの一方の近傍であってその端縁の中央に第２の連結金具２０ｂが取り付けられている。第２のレールユニット１００ｂは、パネル１０ｂのガイドレール１１に垂直な２つの端縁のうちの一方の近傍であってその端縁の中央に第１の連結金具２０ａが取り付けられ、これら２つの端縁のうちの他方の近傍であってその端縁の中央に第２の連結金具２０ｂが取り付けられ、ガイドレール１１と平行な２つの端縁のうちの他方の近傍であってその端縁の中央に第２の連結金具２０ｂが取り付けられている。これにより、トラックの荷台、コンテナの床面、及び倉庫等の床面にパレットローダ案内用のガイドレール１１を低コストで容易に後付することができる。また、パレットローダ案内用のガイドレール１１を部分的にかつ簡単に交換すること、及び簡単に延長及び／又は増設することができる。さらに、製造時から車両に架装されないため、車両の最大積載量を低減させることなくパレットローダ案内用のガイドレール１１を設置することができる。さらにまた、第１のレールユニット１００ａ及び第２のレールユニット１００ｂという２種類のレールユニットを使用してガイドレールを横方向に１つだけ増設することができ、ガイドレールを縦方向に任意の長さ（パネル数）に延長することができる。
【００３５】
次に、本発明の第２の実施形態のパレットローダ用レールユニット２００について説明する。図７は本発明の第２の実施形態のパレットローダ用レールユニット２００の構成を概略的に示しており、図８はこのパレットローダ用レールユニット２００の使用状態の一例を示している。なお、本実施形態においては、第１のレールユニット及び第２のレールユニットが同じ構成であるため、以下、これらをパレットローダ用レールユニット２００として表すこととする。
【００３６】
図７に示すように、パレットローダ用レールユニット２００は、パネル１０ｃのガイドレール１１に垂直な２つの端縁（辺）のうちの一方（図にて上側）の近傍であってその端縁の中央に第１の連結金具２０ａが取り付けられ、これら２つの端縁（辺）のうちの他方（図にて下側）の近傍であってその端縁の中央に第２の連結金具２０ｂが取り付けられ、ガイドレール１１と平行な２つ端縁（辺）のうちの一方（図にて右側）の近傍であってその端縁の中央に第１の連結金具２０ａが取り付けられ、これら２つの端縁（辺）のうちの他方（図にて左側）の近傍であってその端縁の中央に第２の連結金具２０ｂが取り付けられている。これにより、複数のパレットローダ用レールユニット２００を縦方向（ガイドレール１１と平行な方向）に連結固定可能であり、また、横方向（ガイドレール１１と垂直な方向）にも連結固定可能である。
【００３７】
このパレットローダ用レールユニット２００において、パネル１０ｃの装着凹部１２の数を除くその他の構成は、基本的に第１の実施形態のパレットローダ用レールユニット１００の場合と同様な構成を有するため、詳細な説明を省略する。
【００３８】
パネル１０ｃは、パネル端縁に沿って互いに平行に伸長する２本のガイドレール１１と、２つの第１の連結金具２０ａ及び２つの第２の連結金具２０ｂを取り付けるための４つの装着凹部１２とを有している。各装着凹部１２の構成も第１の実施形態の場合と同様である。
【００３９】
次に、以上述べたパレットローダ用レールユニット２００を床面上に敷設してパレットローダ案内用のガイドレールを構築する方法について説明する。ここでは、パレットローダ用レールユニット２００を敷設し、４本のガイドレール１１を設置する場合について説明する。
【００４０】
図８に示すように、４つのパレットローダ用レールユニット２００を前後左右に敷設し、それらの第１の連結金具２０ａと第２の連結金具２０ｂを互いに連結する。これにより、パレットローダ用レールユニット２００を２段２列に配置しガイドレール１１（４本）を延長して設置することができる。パレットローダ用レールユニット２００を前後左右にさらに連結すれば、任意の段数の任意の列数のガイドレール１１を設置することができる。
【００４１】
以上説明したように、本実施形態におけるパレットローダ用レールユニット２００は、パネル１０ｃのガイドレール１１に垂直な２つの端縁のうちの一方の近傍であってその端縁の中央に第１の連結金具２０ａが取り付けられ、これら２つの端縁のうちの他方の近傍であってその端縁の中央に第２の連結金具２０ｂが取り付けられ、ガイドレール１１と平行な２つの端縁のうちの一方の近傍であってその端縁の中央に第１の連結金具２０ａが取り付けられ、これら２つの端縁のうちの他方の近傍であってその端縁の中央に第２の連結金具２０ｂが取り付けられている。これにより、トラックの荷台、コンテナの床面、及び倉庫等の床面にパレットローダ案内用のガイドレール１１を低コストで容易に後付することができる。また、パレットローダ案内用のガイドレール１１を部分的にかつ簡単に交換すること、及び簡単に延長及び／又は増設することができる。さらに、製造時から車両に架装されないため、車両の最大積載量を低減させることなくパレットローダ案内用のガイドレール１１を設置することができる。さらにまた、パレットローダ用レールユニット２００という１種類のレールユニットを使用してガイドレールを横方向に任意の数に増設することができ、ガイドレールを縦方向に任意の長さ（パネル数）に延長することができる。
【００４２】
図９は本発明の第３の実施形態のパレットローダ用レールユニット３００の構成を概略的に示しており、図１０は本発明の第４の実施形態のパレットローダ用レールユニット４００の構成を概略的に示している。
【００４３】
図９に示すように、第３の実施形態のパレットローダ用レールユニット３００は、パネル１０ｄのガイドレール１１に垂直な２つの端縁（辺）のうちの一方（図にて上側）の近傍であってその端縁の中央に第１の連結金具２０ａが取り付けられ、これら２つの端縁（辺）のうちの他方（図にて下側）の近傍であってその端縁の中央に第２の連結金具２０ｂが取り付けられている。これにより、複数のパレットローダ用レールユニット３００を縦方向（ガイドレール１１と平行な方向）に連結固定可能である。
【００４４】
このパレットローダ用レールユニット３００において、パネル１０ｄの装着凹部１２の数を除くその他の構成は、基本的に第１の実施形態のパレットローダ用レールユニット１００の場合と同様な構成を有するため、詳細な説明を省略する。
【００４５】
パネル１０ｄは、パネル端縁に沿って互いに平行に伸長する２本のガイドレール１１と、１つの第１の連結金具２０ａ及び１つの第２の連結金具２０ｂを取り付けるための２つの装着凹部１２とを有している。各装着凹部１２の構成も第１の実施形態の場合と同様である。このパレットローダ用レールユニット３００を床面上に敷設してパレットローダ案内用のガイドレールを構築する方法は、第１及び第２の実施形態において、パレットローダ用レールユニット３００をガイドレールと平行な方向に任意の数で連結する場合と同じであるため、詳細な説明を省略する。
【００４６】
本実施形態によれば、トラックの荷台、コンテナの床面、及び倉庫等の床面にパレットローダ案内用の２本のガイドレール１１を低コストで容易に後付することができる。また、パレットローダ案内用のガイドレール１１を部分的にかつ簡単に交換すること、及び簡単に延長及び／又は増設することができる。さらに、製造時から車両に架装されないため、車両の最大積載量を低減させることなくパレットローダ案内用のガイドレール１１を設置することができる。さらにまた、パレットローダ用レールユニット３００という１種類のレールユニットを使用してガイドレールを縦方向に任意の長さ（パネル数）に延長することができる。
【００４７】
図１０に示すように、第４の実施形態のパレットローダ用レールユニット４００は、パネル１０ｅのガイドレール１１に平行な２つの端縁（辺）のうちの一方（図にて右側）の近傍であってその端縁の中央に第１の連結金具２０ａが取り付けられ、これら２つの端縁（辺）のうちの他方（図にて左側）の近傍であってその端縁の中央に第２の連結金具２０ｂが取り付けられている。これにより、複数のパレットローダ用レールユニット４００を横方向（ガイドレール１１と垂直の方向）に連結固定可能である。
【００４８】
このパレットローダ用レールユニット４００において、パネル１０ｅの装着凹部１２の数を除くその他の構成は、基本的に第１の実施形態のパレットローダ用レールユニット１００の場合と同様な構成を有するため、詳細な説明を省略する。
【００４９】
パネル１０ｅは、パネル端縁に沿って互いに平行に伸長する２本のガイドレール１１と、１つの第１の連結金具２０ａ及び１つの第２の連結金具２０ｂを取り付けるための２つの装着凹部１２とを有している。各装着凹部１２の構成も第１の実施形態の場合と同様である。このパレットローダ用レールユニット４００を床面上に敷設してパレットローダ案内用のガイドレールを構築する方法は、第２の実施形態において、パレットローダ用レールユニット４００をガイドレールと垂直の方向に任意の数で連結する場合と同じであるため、詳細な説明を省略する。
【００５０】
本実施形態によれば、トラックの荷台、コンテナの床面、及び倉庫等の床面にパレットローダ案内用のガイドレール１１を低コストで容易に後付することができる。また、パレットローダ案内用のガイドレール１１を部分的にかつ簡単に交換すること、及び簡単に延長及び／又は増設することができる。さらに、製造時から車両に架装されないため、車両の最大積載量を低減させることなくパレットローダ案内用のガイドレール１１を設置することができる。さらにまた、パレットローダ用レールユニット４００という１種類のレールユニットを使用してガイドレールを横方向に任意の数に延長することができる。
【００５１】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００５２】
１０ａ、１０ｂ、１０ｃ、１０ｄ、１０ｅ  パネル
１１  ガイドレール
１２  装着凹部
１３  上面板
１４  下面板
１５  支持部材
１６  緩衝材
２０ａ  第１の連結金具
２０ｂ  第２の連結金具
２１ａ、２１ｂ  本体
２２  係止部材
２２ａ  アーム部材
２２ｂ  円柱状部材
２３  回動軸
２４ａ  収容部
２４ｂ  係止受け部
１００、２００、３００、４００  パレットローダ用レールユニット
１００ａ  第１のレールユニット
１００ｂ  第２のレールユニット
【図１】
2018058528.tif 000003
【図２】
2018058528.tif 000004
【図３】
2018058528.tif 000005
【図４】
2018058528.tif 000006
【図５】
2018058528.tif 000007
【図６】
2018058528.tif 000008
【図７】
2018058528.tif 000009
【図８】
2018058528.tif 000010
【図９】
2018058528.tif 000011
【図１０】
2018058528.tif 000012